(57)【要約】【課題】扇風機の更なる安全性の向上を図る事を目的とする。【解決手段】基台１と、基台１から伸びた支柱部２と、支柱部２に回動自在に設けられた送風手段３と、送風手段３を回動させる回動手段４とからなり、回動手段４は、モータ固定板部６に固定された回動用モータ部１０と、回動用モータ部１０と支柱部２とを連結するロッド部１５と、回動用モータ部１０の上面に設けた回動モータ用基板部１４と、回動モータ用基板部１４を固定する回動モータ用基板固定部１１からなり、回動モータ用基板部１４の少なくとも上面を覆う金属性のバランスウエイト１２を備えたものであり、長時間使用による発熱がもたらす、モーターカバー部９の発熱と劣化を、抑制し、更なる安全性の向上を図ることができるものである。【選択図】図３
2015169161.tif 000002
【特許請求の範囲】
【請求項１】
基台と、前記基台から伸びた支柱部と、前記支柱部に回動自在に設けられた送風手段と、前記送風手段を回動させる回動手段とからなり、前記送風手段は、モータ部と、前記モータ部を固定するモータ固定板部と、前記モータ部と前記モータ固定板部を覆うモーターカバー部と、前記モータ部から伸び、前記モーターカバー部の前面から突出したモータ軸に固定された羽根部とからなり、前記回動手段は、前記モータ固定板部に固定された回動用モータ部と、前記回動用モータ部と前記支柱部とを連結するロッド部と、前記回動用モータ部の上面に設けた回動モータ用基板部とからなり、前記回動モータ用基板部の少なくとも上面を覆う金属性のバランスウエイトを備えたことを特徴とする扇風機。
【請求項２】
前記バランスウエイトは、前記回動モータ用基板部の上面を覆う上面部と、前記上面部の両端辺から下方へ伸びた側面部とを有することを特徴とする請求項１に記載の扇風機。
【請求項３】
前記バランスウエイトの前記上面部の厚みは、前記側面部の厚みより大きいことを特徴とする請求項２に記載の扇風機。
【請求項４】
前記側面部の下端辺には、外方へ伸びたフランジ部を備えたことを特徴とする請求項２または３に記載の扇風機。
【請求項５】
前記モーターカバー部は、前面には前面開口を備え、背面には背面開口を有し、前記バランスウエイトの前記側面部は、前記モーターカバー部における左右側に設けたことを特徴とする請求項２から４のいずれかに記載の扇風機。
【発明の詳細な説明】
【技術分野】
【０００１】
本発明は、首振り機能を有する扇風機に関するものである。
【背景技術】
【０００２】
従来、この種の扇風機は、基台と、前記基台から伸びた支柱部と、前記支柱部に回動自在に設けられた送風手段と、前記送風手段を回動させる回動手段とからなり、前記送風手段は、モータ部と、前記モータ部を固定するモータ固定板部と、前記モータ部と前記モータ固定板部を覆うモーターカバー部と、前記モータ部から伸び、前記モーターカバー部の前面から突出したモータ軸に固定された羽根部とからなり、前記回動手段は、前記モータ固定板部に固定された回動用モータ部と、前記回動用モータ部と前記支柱部とを連結するロッド部と、金属性のバランスウエイトを備えた構成となっていた。（例えば、特許文献１参照）。
【先行技術文献】
【特許文献】
【０００３】
【特許文献１】実開昭５５−１５３６０号公報
【発明の概要】
【発明が解決しようとする課題】
【０００４】
上記従来例における課題は、更に安全性を向上させることであった。
【０００５】
すなわち、従来の物においては、回動モータ部や回動モータ用の基板部が、長時間使用により発熱した場合、モータ部とモータ固定板部を覆うモーターカバー部が熱伝導により発熱するだけでなく、モーターカバー部の材質よっては、劣化につながる場合がある。
【０００６】
そこで本発明は、更なる安全性の向上を図ることを目的とするものである。
【課題を解決するための手段】
【０００７】
そして、この目的を達成するために、本発明は、基台と、前記基台から伸びた支柱部と、前記支柱部に回動自在に設けられた送風手段と、前記送風手段を回動させる回動手段とからなり、前記送風手段は、モータ部と、前記モータ部を固定するモータ固定板部と、前記モータ部と前記モータ固定板部を覆うモーターカバー部と、前記モータ部から伸び、前記モーターカバー部の前面から突出したモータ軸に固定された羽根部とからなり、前記回動手段は、前記モータ固定板部に固定された回動用モータ部と、前記回動用モータ部と前記支柱部とを連結するロッド部と、前記回動用モータ部の上面に設けた回動モータ用基板部と、回動モータ用基板部を固定する回動モータ用基板固定部からなり、前記回動モータ用基板部の少なくとも上面を覆う金属性のバランスウエイトを備えたことを特徴としたものであり、これにより、所期の目的を達成するものである。
【発明の効果】
【０００８】
本発明によれば、基台と、前記基台から伸びた支柱部と、前記支柱部に回動自在に設けられた送風手段と、前記送風手段を回動させる回動手段とからなり、前記送風手段は、モータ部と、前記モータ部を固定するモータ固定板部と、前記モータ部と前記モータ固定板部を覆うモーターカバー部と、前記モータ部から伸び、前記モーターカバー部の前面から突出したモータ軸に固定された羽根部とからなり、前記回動手段は、前記モータ固定板部に固定された回動用モータ部と、前記回動用モータ部と前記支柱部とを連結するロッド部と、前記回動用モータ部の上面に設けた回動モータ用基板部とからなり、前記回動モータ用基板部の少なくとも上面を覆う金属性のバランスウエイトを備えたものであり、長時間使用による発熱がもたらす、モーターカバー部の発熱と劣化を抑制することが出来るものである。
【０００９】
すなわち、回動モータ用基板部の少なくとも上面を金属性のバランスウエイトで覆う事により、長時間使用による回動モータ用基板部からの発熱が遮られ、モーターカバー部の発熱、劣化を抑制できるものである。
【００１０】
結果として、更なる安全性の向上を図ることができるものである。
【図面の簡単な説明】
【００１１】
【図１】本発明の実施の形態１の扇風機の全体を示す図
【図２】同扇風機の送風手段のモーターカバー部内を示す図
【図３】同扇風機の送風手段のモーターカバー部内のバランスウエイト内を示す図
【図４】同扇風機の送風手段のモーターカバー部の前面を示す図
【図５】同扇風機の送風手段のモーターカバー部の背面を示す図
【発明を実施するための形態】
【００１２】
以下、本発明の実施の形態について図面を参照しながら説明する。
【００１３】
（実施の形態１）
図１は、本発明の実施の形態１の扇風機の全体を示す図である。図２は、同扇風機の送風手段のモーターカバー部内を示す図である。図３は、同扇風機の送風手段のモーターカバー部内のバランスウエイトを一部除き、バランスウエイト内を示す図である。
【００１４】
図１、図２、図３に示すように扇風機は、基台１と、支柱部２と、送風手段３と、回動手段４とを有している。
【００１５】
基台１は、円板形状で上部に操作パネル部（図示せず）を有している。
【００１６】
支柱部２は、基台１から伸び、扇風機後面の上部に高さ調節を行うスライドスイッチ部５を有している。
【００１７】
送風手段３は、モータ固定板部６と、モータ部７と、羽根部８と、モーターカバー部９とを有している。
【００１８】
モータ固定板部６は、支柱部２にシャフト（図示せず）で固定され、モータ固定板部上には、モータ部７、後述する回動用モータ部１０、回動モータ用基板固定部１１、金属製のバランスウエイト１２を固定している。
【００１９】
モータ部７は、モータ固定板部の前方に固定され、前方へ伸びているモータ軸部１３を備えている。
【００２０】
羽根部８は、モータ軸部１３に固定されている。
【００２１】
モーターカバー部９は、材質は樹脂で、下面が開口した椀形状で、前面と背面に開口を有している。モーターカバー部９は、モータ固定板部６に固定され、モータ部７、モータ固定板部６、回動用モータ部１０、回動モータ用基板固定部１１、金属製のバランスウエイト１２、後述する回動モータ用基板部１４、ロッド部１５を覆っている。モーターカバー部９は、扇風機の側方から見ると、上面は、前方から後方に向かうにつれて、下方へ傾斜している。
【００２２】
回動手段４は、回動用モータ部１０と、ロッド部１５と、回動モータ用基板部１４を有している。
【００２３】
回動用モータ部１０は、モータ固定板部６に固定され、上部に回動モータ用基板部１４を有し、下部にロッド部１５を回動するための軸（図示せず）を備えている。
【００２４】
ロッド部１５は、回動用モータ部１０から伸びた軸と連動するクラッチ部１６と、支柱部２に固定されている。
【００２５】
回動モータ用基板部１４は、回動用モータ部１０の上部に有し、回動モータ用基板固定部１１に固定されている。回動モータ用基板部１４は、回動モータ用基板部分（図示せず）と、回動モータ用基板ケース部分１４ａとからなる。回動モータ用基板ケース部分１４ａは、箱形状で、内部には、回動モータ用基板部分を備え、上面には、多数の孔１４ｂを有している。回動モータ用基板ケース部分１４ａ内の回動モータ用基板部分が発熱すると、上面の多数の孔１４ｂから温められた空気が出るので、回動モータ用基板ケース部分１４ａ内の温度上昇は、抑制される。
【００２６】
回動モータ用基板固定部１１は、モータ部７の後方に設けられ、回動モータ用基板部１４の前面側を挟むようにモータ固定板部に固定される。
【００２７】
本実施形態における特徴は、回動モータ用基板部１４の少なくとも上面を覆う金属性のバランスウエイト１２を備えた点である。
【００２８】
すなわち、回動モータ用基板部１４の少なくとも上面を金属性のバランスウエイト１２で覆う事により、長時間使用による回動モータ用基板部１４からの発熱が遮られ、モーターカバー部９の発熱、劣化を抑制できるものである。結果として、更なる安全性の向上を図ることができるものである。
【００２９】
また、バランスウエイト１２は、回動モータ用基板部１４の上面を覆う上面部１２ａと、上面部１２ａの両端辺から下方へ伸びた側面部１２ｂとを有するものである。
【００３０】
具体的には、上面部１２ａは、水平面を有する略四角形の平板形状で、この上面部１２ａの左右両端辺より下方へ伸びた側面部１２ｂを備える。この側面部１２ｂは、垂直面を有する略四角形の平板形状である。すなわち、扇風機の後方から見ると、垂直断面形状は、下方が開口したコの字形状である。
【００３１】
これにより、長時間使用により回動用モータ部１０と回動モータ用基板部１４が発熱した場合、回動用モータ部１０と回動モータ用基板部１４の上面と側面を金属性のバランスウエイト１２で覆う事で、発熱が遮られる。更に、金属性のバランスウエイト１２の前面部と後面部が開口していることにより、風口を作り回動用モータ部１０と回動モータ用基板部１４の発熱を抑制できるものである。
【００３２】
バランスウエイト１２の上面部１２ａの厚みは、側面部１２ｂの厚みより大きいものである。より詳しく記述すると、上面部１２ａの前方の厚さが最大で、後方に向けて徐々に厚みが減るものであり、限られた空間内でモーターカバー部の形に影響を与えずにバランスを保てるものである。また長時間使用により回動用モータ部１０と回動モータ用基板部１４が発熱した場合、回動モータ用基板部１４を固定している回動モータ用基板固定部１１も発熱する可能性がある。その場合、金属製のバランスウエイトまでの距離は、回動モータ用基板部１４よりも回動モータ用基板部１４を固定している回動モータ用基板固定部１１の方が、金属製のバランスウエイト１２に近くなるので、回動モータ用基板固定部１１付近、すなわち金属製のバランスウエイト１２の前方に厚みをもたしているものである。結果として、更なる安全性の向上を図ることができるものである。
【００３３】
また、側面部１２ｂの下端辺には、外方へ伸びたフランジ部１２ｃを備えたものである。このように、フランジ部１２ｃを備える事により、モータ固定板部６に金属性のバランスウエイト１２をネジ止めする際、手で支える必要なく取付けが可能になり、効率的な組立を可能にできるものである。
【００３４】
また、金属製のバランスウエイト１２を、直接、回動用モータ部１０や回動モータ用基板部１４に取付けず、回動用モータ部１０と回動モータ用基板部１４と、金属製のバランスウエイト１２との間に空間を作る事で、金属製のバランスウエイト１２への熱伝導を抑制できるものである。結果として、更なる安全性の向上を図ることができるものである。
【００３５】
図４、図５に示すように、モーターカバー部９は、前面には前面開口１７を備え、背面には背面開口１８を有し、バランスウエイトの側面部１２ｂは、モーターカバー部における左右側に設けたものである。
【００３６】
すなわち、モータ部７によって、羽根部８が回転すると、モーターカバー部９の下面の開口、および背面開口１８からモーターカバー部９内へ空気が吸い込まれる。この吸い込まれた空気の一部は、バランスウエイト１２内を通過する。つまり、バランスウエイト１２と回動モータ用基板部１４との間を流れ、回動モータ用基板固定部１１の上方、モータ部７の周囲を介して、モーターカバー部９の前面開口１７からモーターカバー部９外へ吹き出る。これにより、モーターカバー部９は、前面には前面開口１７を有し、背面には背面開口１８を備える事により、風口を作り、長時間使用による回動用モータ部１０と回動モータ用基板部１４の発熱がもたらす、モーターカバー部９の発熱、劣化を抑制できるものである。金属製のバランスウエイト１２が覆えていない、前面、背面、下面に風口が出来る事により、金属製のバランスウエイト１２の遮りなく、発熱を抑制できるものである。結果として、更なる安全性の向上を図ることができるものである。
【００３７】
また、羽根部８が回転すると、モーターカバー部９の下面の開口、および背面開口１８からモーターカバー部９内へ空気が吸い込まれ、モーターカバー部９の前面開口１７からモーターカバー部９外へ吹き出る。このモーターカバー部９内での風の流れは、主に扇風機における後方から前方に流れるものである。バランスウエイト１２は、扇風機の後方から見ると、垂直断面形状は、下方が開口したコの字形状であり、扇風機における前後方向に伸びている。すなわち、モーターカバー部９内を流れる風は、バランスウエイト１２の上面部１２ａと側面部１２ｂの表面を沿うように流れるので、バランスウエイト１２は、効率的に冷却される。
【産業上の利用可能性】
【００３８】
本発明によれば、基台と、前記基台から伸びた支柱部と、前記支柱部に回動自在に設けられた送風手段と、前記送風手段を回動させる回動手段とからなり、前記送風手段は、モータ部と、前記モータ部を固定するモータ固定板部と、前記モータ部と前記モータ固定板部を覆うモーターカバー部と、前記モータ部から伸び、前記モーターカバー部の前面から突出したモータ軸に固定された羽根部とからなり、前記回動手段は、前記モータ固定板部に固定された回動用モータ部と、前記回動用モータ部と前記支柱部とを連結するロッド部と、前記回動用モータ部の上面に設けた回動モータ用基板部と、回動モータ用基板部を固定する回動モータ用基板固定部からなり、前記回動モータ用基板部の少なくとも上面を覆う金属性のバランスウエイトを備えたものであり、長時間使用による発熱がもたらす、モーターカバー部の発熱と劣化を抑制することが出来るものである。
【００３９】
すなわち、回動モータ用基板の少なくとも上面を金属性のバランスウエイトで覆う事により、長時間使用による回動モータ用基板からの発熱が遮られ、モーターカバー部の発熱、劣化を抑制できるものである。
【００４０】
結果として、更なる安全性の向上を図ることができるものである。
【００４１】
扇風機等に使用される上下首振り手段として有用である。
【符号の説明】
【００４２】
１      基台
２      支柱部
３      送風手段
４      回動手段
５      スライドスイッチ部
６      モータ固定板部
７      モータ部
８      羽根部
９      モーターカバー部
１０      回動用モータ部
１１      回動モータ用基板固定部
１２      バランスウエイト
１２ａ    上面部
１２ｂ    側面部
１２ｃ    フランジ部
１３      モータ軸部
１４      回動モータ用基板部
１４ａ    回動モータ用基板ケース部分
１４ｂ    孔
１５      ロッド部
１６      クラッチ部
１７      前面開口
１８      背面開口
【図１】
2015169161.tif 000003
【図２】
2015169161.tif 000004
【図３】
2015169161.tif 000005
【図４】
2015169161.tif 000006
【図５】
2015169161.tif 000007